(57)【要約】【課題】投写型映像表示装置において、投写型映像表示装置の特性の低下を抑制しつつ、フレームレートの変更を可能にする。【解決手段】投写型映像表示装置は、入力された映像信号のフレームレートに対応した駆動周波数で駆動される光源部２４と、入力された映像信号に基づいて光源部２４から出射された光を変調するための光変調素子１８と、光変調素子１８により変調された光を投写するための投写レンズ２２と、制御部１００とを備える。そして、制御部１００は、光源部２４の出力特性に基づく駆動周波数の変更範囲内で、入力された映像信号のフレームレートを変更させるように構成されたレート変更部１２０を含む。【選択図】図４
2012014072.tif 000002
【特許請求の範囲】
【請求項１】
入力された映像信号のフレームレートに対応した駆動周波数で駆動される光源部と、
前記入力された映像信号に基づいて、前記光源部から出射された光を変調するための光変調部と、
前記光変調部により変調された光を投写するための投写部と、
前記光源部の出力特性に基づく前記駆動周波数の変更範囲内で、前記入力された映像信号のフレームレートを変更させるように構成されたレート変更部とを備える、投写型映像表示装置。
【請求項２】
前記レート変更部は、変更後のフレームレートをユーザにより指定されたフレームレートになるように変更する第１のモードと、変更後のフレームレートを前記入力された映像信号のフレームレートに同期させる第２のモードとを切換え可能に構成される、請求項１に記載の投写型映像表示装置。
【請求項３】
ユーザによって前記第１のモードおよび前記第２のモードの選択が可能に構成された設定部をさらに備える、請求項２に記載の投写型映像表示装置。
【請求項４】
前記レート変更部による変更後のフレームレートは、第１のフレームレートと、前記第１のフレームレートとは異なる第２のフレームレートとを含み、
前記変更範囲は、前記第１のフレームレートおよび前記第２のフレームレートの各々に対応して設定される、請求項１に記載の投写型映像表示装置。
【請求項５】
ユーザによって前記第１のフレームレートおよび前記第２のフレームレートの選択が可能に構成された設定部をさらに備える、請求項４に記載の投写型映像表示装置。
【請求項６】
前記出力特性は、前記光源部の寿命に関する特性を含む、請求項１〜５のいずれか１項に記載の投写型映像表示装置。
【発明の詳細な説明】
【技術分野】
【０００１】
この発明は、投写型映像表示装置に関し、より特定的には、映像信号のフレームレートの変更が可能な投写型映像表示装置に関する。
【背景技術】
【０００２】
投写型映像表示装置（以下、プロジェクタとも称する。）において使用される画像データは、画質、汎用性、コスト等の観点から、家庭用テレビ装置やビデオ装置等に使用されているＮＴＳＣ信号やＰＡＬ信号などのアナログ信号が適用される場合がある。このような画像データは、５０フレーム／秒あるいは６０フレーム／秒などの一定間隔のフレームレートで伝送される。
【０００３】
一般的なプロジェクタでは、表示する映像のフレームレートをプロジェクタに入力される映像信号のフレームレートと同じフレームレートとする場合が多いが、フレームレートを変換させる機能を有したプロジェクタも存在する。
【０００４】
特開２００４−１０４２０９号公報（特許文献１）は、液晶表示装置により動画映像を表示する動画映像表示装置において、低温の場合に動画映像のフレームレートを低減することによって、液晶表示素子の応答性が低下する低温環境下においても、鮮明な動画映像を表示することができる技術を開示する。
【先行技術文献】
【特許文献】
【０００５】
【特許文献１】特開２００４−１０４２０９号公報
【発明の概要】
【発明が解決しようとする課題】
【０００６】
プロジェクタにより表示された映像をテレビカメラで撮影する場合、表示された映像のフレームレートとテレビカメラの撮影映像のフレームレートとが異なると、撮影した映像にノイズが発生する場合がある。これに対応するために、プロジェクタにより表示される映像のフレームレートを、テレビカメラのフレームレートに合わせるように変更する構成とすることは可能であるが、フレームレートを極端に変更するとかえってプロジェクタの他の部分に悪影響をおよぼす可能性がある。
【０００７】
本発明は、このような課題を解決するためになされたものであって、その目的は、投写型映像表示装置において、投写型映像表示装置の特性の低下を抑制しつつ、フレームレートの変更を可能とすることである。
【課題を解決するための手段】
【０００８】
本発明のある局面に従う投写型映像表示装置は、光源部と、光変調部と、投写部と、レート変更部とを備える。光源部は、入力された映像信号のフレームレートに対応した駆動周波数で駆動される。光変調部は、入力された映像信号に基づいて、光源部から出射された光を変調する。投写部は、光変調部により変調された光を投写する。レート変更部は、光源部の出力特性に基づく駆動周波数の変更範囲内で、入力された映像信号のフレームレートを変更させるように構成される。
【０００９】
このような構成の投写型映像表示装置によれば、フレームレートに対応して駆動される光源部の出力特性に基づいて設定される、光源部の駆動周波数の変更範囲内で、入力された映像信号のフレームレートを変更できる。これによって、光源部の出力特性が低下されることを抑制しつつ、入力された映像信号のフレームレートを変更することができる。
【００１０】
好ましくは、レート変更部は、変更後のフレームレートをユーザにより指定されたフレームレートになるように変更する第１のモードと、変更後のフレームレートを入力された映像信号のフレームレートに同期させる第２のモードとを切替え可能に構成される。
【００１１】
このような構成をすることによって、たとえば、投写型映像表示装置により投写された映像をビデオカメラ等で撮影する場合に、フレームレートの違いに起因して発生する撮影映像のノイズを低減する目的で、ユーザからの指定のフレームレートに変更する第１のモードと、動画のスムーズな画質を優先する目的で、入力された映像信号のフレームレートと同期させる第２のモードとを切替えることが可能となり、目的に合わせたフレームレートを設定することが可能になる。
【００１２】
好ましくは、投写型映像表示装置は、ユーザによって第１のモードおよび第２のモードの選択が可能に構成された設定部をさらに備える。
【００１３】
このような構成とすることによって、ユーザが第１のモードおよび第２のモードを設定部の操作によって設定することが可能となる。
【００１４】
好ましくは、レート変更部による変更後のフレームレートは、第１のフレームレートと、第１のフレームレートとは異なる第２のフレームレートとを含む。そして、変更範囲は、第１のフレームレートおよび第２のフレームレートの各々に対応して設定される。
【００１５】
このような構成とすることによって、たとえば、映像信号として一般的に使用されるＮＴＳＣ信号，ＰＡＬ信号に対応したフレームレートに設定することができる。また、各設定したフレームレートに対して変更範囲を設定することで、その変更範囲内でフレームレートの微調整をすることが可能になる。
【００１６】
好ましくは、ユーザによって第１のフレームレートおよび第２のフレームレートの選択が可能に構成された設定部をさらに備える。
【００１７】
このような構成とすることによって、ユーザが第１のフレームレートおよび第２のフレームレートを設定部の操作によって設定することが可能となる。
【００１８】
好ましくは、出力特性は、前記光源部の寿命に関する特性を含む。
このような構成とすることによって、光源部の寿命の低下を抑制しつつ、フレームレートを変更することが可能となる。
【発明の効果】
【００１９】
本発明による投写映像表示装置によれば、投写型映像表示装置の特性の低下を抑制しつつ、フレームレートの変更を可能とすることができる。
【図面の簡単な説明】
【００２０】
【図１】本発明の実施の形態に係る投写型映像表示装置の概略構成図である。
【図２】図１におけるカラーホイールの概略構成図である。
【図３】ランプ駆動周波数を説明するための図である。
【図４】本実施の形態におけるプロジェクタの画像処理の制御構造を示す機能ブロック図である。
【図５】フレームレートの変更範囲を説明するための図である。
【図６】本実施の形態における、フレームレート設定制御処理の詳細を説明するためのフローチャートである。
【発明を実施するための形態】
【００２１】
以下、本発明の実施の形態について、図面を参照しながら詳細に説明する。なお、図中の同一または相当する部分には同一符号を付してその説明は繰り返さない。
【００２２】
［投写型映像表示装置の基本構造の説明］
図１は、この発明の実施の形態１に係る投写型映像表示装置（以下、「プロジェクタ」とも称する。）の主要部の構成を模式的に示す図である。
【００２３】
図１を参照して、プロジェクタは、光源から入射した照明光を反射型の光変調素子を用いて反射光として変調するタイプのプロジェクタであって、光学エンジン１と、投写レンズ２２とを備え、その外郭を筐体（図示せず）で覆われている。なお、プロジェクタは、スピーカ等の音声を出力するための構成要素や、光学エンジン１の構成要素および音声出力手段を電気的に接続するための回路基板なども搭載されているが、図１では、これらを含む一部の構成要素の図示は省略されている。
【００２４】
光学エンジン１は、光源ランプ１０と、コンデンサレンズ１２と、カラーホイール１４と、ロッドインテグレータ１６と、光変調素子１８と、内部全反射（Total Internal Rejection：ＴＩＲ）プリズム２０とを備える。
【００２５】
光源ランプ１０は、たとえば超高圧水銀ランプ、メタルハライドランプ、キセノンランプなどからなる。光源ランプ１０は、筐体に対して着脱自在な状態で装着されている。光源ランプ１０から出射された光は、コンデンサレンズ１２に入射される。
【００２６】
コンデンサレンズ１２は、光源ランプ１０から入射された光に集光作用を付与する。コンデンサレンズ１２を透過した光は、カラーホイール１４に入射する。
【００２７】
カラーホイール１４は、光源ランプ１０から出射された光を受けて、複数の色光を順に出射する。具体的には、カラーホイール１４は、光源ランプ１０の光軸に平行な回転軸１４２を含む。回転軸１４２は、図示しないモータに連結されており、当該モータを回転駆動することによって、カラーホイール１４は回転軸１４２を中心として回転する。
【００２８】
図２は、回転軸方向から見たカラーホイール１４の平面図である。
図２を参照して、カラーホイール１４は、回転軸１４２を中心とする円周方向に並べて配置された、カラーフィルタ１４４，１４６，１４８を含む。
【００２９】
カラーフィルタ１４４，１４６，１４８は、それぞれ単一の色光を出射する。具体的には、カラーフィルタ１４４は、光源ランプ１０からの光を受けて、赤色波長域の光（以下、「Ｒ光」とも称する。）を出射する。カラーフィルタ１４６は、光源ランプ１０からの光を受けて、緑色波長域の光（以下、「Ｇ光」とも称する。）を出射する。カラーフィルタ１４８は、光源ランプ１０からの光を受けて、青色波長域の光（以下、「Ｂ光」とも称する。）を出射する。
【００３０】
したがって、カラーホイール１４が回転軸１４２を中心にして回転することにより、カラーホイール１４からはＲ光、Ｇ光、Ｂ光がその順に周期的に出射される。これにより、ロッドインテグレータ１６には、Ｒ光、Ｇ光、Ｂ光が時分割で切替えて入射される。
【００３１】
なお、３色の色光の出射の順番は、カラーホイール１４の構成に応じて任意である。また、出射する色光は、Ｒ，Ｇ，Ｂの３色に限定されるものではなく、４色以上の色光を周期的に出射することも可能である。この場合、複数の色光にそれぞれ対応する複数のカラーフィルタの角度範囲は、複数の色光を混合する比率に応じて調整される。
【００３２】
上述の、光源ランプ１０、コンデンサレンズ１２およびカラーホイール１４によって、光源部２４が構成される。
【００３３】
再び図１を参照して、カラーホイール１４から周期的に出射されるＲ光、Ｇ光およびＢ光は、ロッドインテグレータ１６の一方の端部に入射されると、ロッドインテグレータ１６の内部を伝搬してロッドインテグレータ１６の他方の端部から出射される。
【００３４】
ロッドインテグレータ１６から出射された光は、ＴＩＲプリズム２０を介して光変調素子１８の光入射面に導かれる。
【００３５】
光変調素子１８は、ＤＭＤ（Digital Micromirror Device）（ＴＩ社の登録商標）であり、複数の微小ミラーによって構成されている。複数の微小ミラーは可動式であり、各微小ミラーの角度を変更することによって、ＴＩＲプリズム２０から受けた光を投写レンズ２２側に反射するか否かを切替える。このようにして各微小ミラーを駆動して反射角度を変更することによって出射光の輝度を変調する。
【００３６】
光変調素子１８は、カラーホイール１４が回転することによってＲ光、Ｇ光およびＢ光が順に出射されるタイミングに同期して、各微小ミラーを制御する。すなわち、映像信号に基づいて、カラーホイール１４による色光の出射タイミングと同期して各微小ミラーを駆動させ、各色光を投写レンズ２２へ反射させる割合を変化させることによって、投写面Ｓ上に投写される各画素の色および輝度を変化させる。
【００３７】
光変調素子１８で反射された色光は、投写レンズ２２を経てスクリーン等の投写面Ｓに投写される。投写面Ｓには、カラーホイール１４の回転に応じて、Ｒ、Ｇ、Ｂの色光による画像が順に投写される。投写面Ｓ上に投写される各色の色光による画像は、人間の目には、それらの色光による画像が重ね合わせて生成されるカラー画像として認識される。
【００３８】
このようなプロジェクタによって表示される映像を、テレビカメラ等を用いて撮影する場合に、撮影映像にノイズが発生する場合がある。これは、表示映像のフレームレートと撮影映像のフレームレートとが異なることが原因の１つである。このような撮影映像中のノイズを低減するためには、プロジェクタからの表示映像のフレームレートを、撮影に用いられるテレビカメラのフレームレートに同期させることが必要となる。
【００３９】
ここで、上述のような、いわゆるＤＬＰ（Digital  Light  Processing）（登録商標）方式のプロジェクタにおいては、一般的に、プロジェクタから出力される映像のフレームレートに同期するように、光変調素子１８の微小ミラーを駆動するための駆動周波数およびカラーホイール１４の駆動周波数（すなわち回転速度）が設定される。
【００４０】
また、光源ランプ１０についても、図３に示すように、出射される光がＲ光、Ｇ光およびＢ光のいずれであるかによって光源ランプ１０の出力を変化させている。そのため、カラーホイール１４の回転速度に同期して、光源ランプ１０の駆動周波数も変化させる必要がある。すなわち、光源ランプ１０の駆動周波数もプロジェクタから出力される映像のフレームレートに同期させることになる。
【００４１】
一方で、光源ランプ１０は、ランプの信頼性（寿命）を確保するために、使用可能な駆動周波数の範囲が設定されている場合がある。そのため、映像のフレームレートを極端に変更した場合に、ランプの信頼性から定まる駆動周波数の範囲を逸脱してしまうことによって、かえってランプの寿命を低下させてしまうおそれがある。
【００４２】
そこで、本実施の形態においては、フレームレートの変更が可能なプロジェクタにおいて、フレームレートの変更可能範囲を光源ランプの出力特性（たとえば寿命）に基づいて設定する。このようにすることによって、プロジェクタにおける光源ランプの特性の低下を抑制しつつ、フレームレートを変更することが期待できる。
【００４３】
［制御構造の説明］
図４は、本実施の形態におけるプロジェクタの画像処理の制御構造を示す機能ブロック図である。
【００４４】
図４を参照して、プロジェクタは、図１で説明した構成に加えて、ユーザにより操作可能な設定部５０と、光源ランプ１０、カラーホイール１４および光変調素子１８を制御するための制御部１００とをさらに備える。
【００４５】
設定部５０は、ユーザからの各種設定情報を入力するためのものである。設定部５０としては、図示しないが、操作ボタンや操作パネルなどを含んで構成される。または、リーモートコントローラ（「リモコン」とも称する。）によるユーザからの操作信号を無線によって受信する構成としてもよい。
【００４６】
設定部５０によって設定される情報としては、たとえば、表示される映像の状態（明るさ、色調、表示形状など）を調整するための映像調整指令や、出力される映像のフレームレートなどの各種設定情報などが含まれる。
【００４７】
制御部１００は、映像信号入力部１１０と、フレームレート変更部１２０と、表示制御部１３０と、カラーホイール制御部１４０と、光源制御部１５０と、操作信号入力部１６０とを含む。なお、制御部１００に含まれる各機能ブロックは、制御部１００によるハードウェア的あるいはソフトウェア的な処理によって実現される。
【００４８】
操作信号入力部１６０は、設定部５０から、上述のような各種設定情報を受信する。そして、受信した情報を、フレームレート変更部１２０へ出力する。
【００４９】
映像信号入力部１１０は、図示しない外部機器（たとえば、パソコン、ビデオ再生機、テレビなど）から受信した映像信号を受ける。そして、映像信号入力部１１０は、受信した映像信号をフレームレート変更部１２０に出力する。
【００５０】
フレームレート変更部１２０は、操作信号入力部１６０からの各種設定情報、および映像信号入力部１１０で受信した外部機器からの映像信号を受ける。フレームレート変更部１２０は、操作信号入力部１６０において設定されたフレームレートに従って、映像信号入力部１１０からの映像信号のフレームレートを変更する。
【００５１】
フレームレートの設定としては、たとえば、「ＡＵＴＯ」、「モードＡ」および「モードＢ」の３つのモードが設定可能である。
【００５２】
「ＡＵＴＯ」モードが設定されている場合には、フレームレート変更部１２０は、スムーズな画質を優先するために、入力された映像信号のフレームレートに自動的に同期させる。
【００５３】
「モードＡ」および「モードＢ」は、表示されるそれぞれ映像のフレームレートをＰＡＬ信号およびＮＴＳＣ信号に対応するフレームレートとするモードである。各モードのフレームレートは、たとえば、「モードＡ」では５０フレーム／秒（あるいは５０Ｈｚ）、「モードＢ」では６０フレーム／秒（あるいは６０Ｈｚ）を基準として設定される。なお、モードの数は、上述のようなモードに限られず、「モードＡ」および「モードＢ」に加えて、あるいはそれに代えて、より多くのモードを有するようにしてもよい。
【００５４】
そして、フレームレート変更部１２０は、変更後のフレームレートを示す信号を、表示制御部１３０、カラーホイール制御部１４０および光源制御部１５０へ出力する。
【００５５】
表示制御部１３０は、フレームレート変更部１２０からの変更後のフレームレートを示す信号に基づいた駆動周波数によって光変調素子１８を駆動するための制御信号を生成する。そして、生成した制御信号によって光変調素子１８の微小ミラーを駆動する。
【００５６】
カラーホイール制御部１４０は、フレームレート変更部１２０からの変更後のフレームレートを示す信号に基づいた駆動周波数（回転速度）によってカラーホイール１４を駆動するための制御信号を生成する。そして、生成した制御信号によってカラーホイール１４を回転させるためのモータ（図示せず）を駆動する。
【００５７】
光源制御部１５０は、フレームレート変更部１２０からの変更後のフレームレートを示す信号に基づいた駆動周波数によって光源部２４内の光源ランプ１０を駆動するための制御信号を生成する。そして、生成した制御信号によって光源ランプ１０の出力を制御する。
【００５８】
図５は、フレームレートの変更範囲を説明するための図である。図５の縦軸にはフレームレートが示され、横軸にはモードが示される。
【００５９】
図５を参照して、光源ランプ１０の出力特性から定まる駆動周波数に対応するフレームレートの使用範囲が、ＬＬＩＭからＨＬＩＭまでの範囲であったとする。このとき、「モードＡ」および「モードＢ」におけるフレームレートの基準が、それぞれＦＲ１（たとえば５０フレーム／秒、あるいは５０Ｈｚ）およびＦＲ２（たとえば６０フレーム／秒、あるいは６０Ｈｚ）であるとする（ＬＬＩＭ＜ＦＲ１＜ＦＲ２＜ＨＬＩＭ）。
【００６０】
プロジェクタにより表示される映像のフレームレートを撮影するビデオカメラのフレームレートと同期させる場合、ビデオカメラのフレームレートが、上述の「モードＡ」および「モードＢ」におけるフレームレートの基準値のいずれかと一致している場合もあるが、演算遅れや機器間での通信遅れなどに起因して、フレームレートの基準値からずれてしまうことがあり得る。そのため、各モードにおいて、フレームレートの基準値に対応した変更可能範囲を設けて、フレームレートの微調整が可能な構成とする（α１＜ＦＲ１＜α２，α３＜ＦＲ２＜α４）。
【００６１】
このとき、これらの変更可能範囲は、上述した光源ランプ１０の使用範囲の範囲内となるように設定される。すなわち、図５においては、ＬＬＩＭ≦α１かつα４≦ＨＬＩＭとなるように設定される。このようにフレームレートの変更可能範囲を設定することによって、光源ランプの特性を損なうことなくフレームレートを変換することが可能となる。
【００６２】
なお、図５においては、「モードＡ」の変更可能範囲と「モードＢ」の変更可能範囲とが重なり合わない場合、すなわち「モードＡ」の変更可能範囲上限値（α２）と「モードＢ」の変更可能範囲下限値（α３）がα２＜α３となる場合について示したが、「モードＡ」の変更可能範囲の一部が「モードＢ」の変更可能範囲の一部と重なる場合（すなわち、α３＜α２）としてもよい。
【００６３】
フレームレートの変更可能範囲の一例としては、たとえば、ＦＲ１＝５０Ｈｚ，ＦＲ２＝６０Ｈｚの場合には、α１＝４７Ｈｚ，α２＝５２Ｈｚ，α３＝５８Ｈｚ，α４＝６２Ｈｚとしてもよい。
【００６４】
図６は、本実施の形態において、制御部１００で実行されるフレームレート設定制御処理の詳細を説明するためのフローチャートである。図６に示すフローチャートは、制御部１００に予め格納されたプログラムを所定周期で実行することによって実現される。あるいは、一部のステップについては、専用のハードウェア（電子回路）を構築して処理を実現することも可能である。
【００６５】
図３および図６を参照して、制御部１００は、ステップ（以下、ステップをＳと略す。）１００において、フレームレートの設定モードが「ＡＵＴＯ」に設定されているか否かを判定する。
【００６６】
フレームレートの設定モードが「ＡＵＴＯ」に設定されているか場合（Ｓ１００にてＹＥＳ）は、Ｓ１１０に処理が進められ、制御部１００は、入力された映像信号のフレームレートに同期するようにフレームレートを設定する。
【００６７】
フレームレートの設定モードが「ＡＵＴＯ」に設定されていない場合（Ｓ１００にてＮＯ）は、処理がＳ１２０に進められ、制御部１００は、次に「モードＡ」が選択されているか否かを判定する。
【００６８】
「モードＡ」が選択されている場合（Ｓ１２０にてＹＥＳ）は、Ｓ１３０に処理が進められ、制御部１００は「モードＡ」に設定してフレームレート（ＦＲ）を基準値であるＦＲ１に設定する。
【００６９】
そして、制御部１００は、Ｓ１４０に処理を進め、ユーザの操作に従ってフレームレートを変更可能範囲内（α１≦ＦＲ≦α２）で変更を行なう。
【００７０】
一方、「モードＡ」が選択されていない場合（Ｓ１２０にてＮＯ）は、Ｓ１５０に処理が進められ、制御部１００は「モードＢ」に設定してフレームレートを基準値であるＦＲ２に設定する。
【００７１】
そして、制御部１００は、Ｓ１６０に処理を進め、ユーザの操作に従ってフレームレートを変更可能範囲内（α３≦ＦＲ≦α４）で変更を行なう。
【００７２】
［発明の効果］
上述のような装置構成において、以上のような処理に従って制御を行なうことによって、投写型映像表示装置において、投写型映像表示装置の特性、具体的には光源ランプの信頼性（寿命）の低下を抑制しつつ、フレームレートの変更を可能とすることができる。その結果、ビデオカメラでプロジェクタにより表示される映像を撮影する際に、光源ランプの寿命を損なうことなく、撮影映像に発生するノイズを低減することが可能となる。
【００７３】
なお、上記の説明においては、フレームレートの「同期」については、入力される映像信号のフレームレートと、プロジェクタにより表示される映像のフレームレートとを一致させる場合について説明したが、たとえば、プロジェクタにより表示される映像のフレームレートを入力される映像信号のフレームレートのｎ倍（ｎは自然数）とするようにしてもよい。あるいは、プロジェクタにより映像が適切に出力されるように、入力される映像信号のフレームレートに対応して、表示される映像のフレームレートを設定する場合も含むものとする。
【００７４】
なお、本実施の形態における「投写レンズ２２」は、本発明の「投写部」の一例である。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７６】
１  光学エンジン、１０  光源ランプ、１２  コンデンサレンズ、１４  カラーホイール、１６  ロッドインテグレータ、１８  光変調素子、２０  ＴＩＲプリズム、２２  投写レンズ、２４  光源部、５０  設定部、１００  制御部、１１０  映像信号入力部、１２０  フレームレート変更部、１３０  表示制御部、１４０  カラーホイール制御部、１４２  回転軸、１４４，１４６，１４８  カラーフィルタ、１５０  光源制御部、１６０  操作信号入力部、Ｓ  投写面。
【図１】
2012014072.tif 000003
【図２】
2012014072.tif 000004
【図３】
2012014072.tif 000005
【図４】
2012014072.tif 000006
【図５】
2012014072.tif 000007
【図６】
2012014072.tif 000008